(57)【要約】【課題】  部品点数を少なくしてコストを低減でき、フロアノイズを良くできるデュアルレート水晶発振器を提供する。【解決手段】  発振部２でＬＣ発振させるためのコイルＬ1 ，Ｌ2 のいずれかをＳＷ（１）５で選択させ、フィルタ３で第１のフィルタ（水晶振動子Ｘ1 と可変コイルＬ3 の並列接続回路）又は第２のフィルタ（水晶振動子Ｘ2 と可変コイルＬ4 の並列接続回路）をＳＷ（２）６で選択させて、水晶フィルタとして使用し、デュアルモードで発振周波数を出力するものであり、選択されたコイルＬ1 又はＬ2 と共通のコンデンサＣ1 ，Ｃ2 で発振させ、選択された第１又は第２のフィルタの水晶振動子により高Ｑなフィルタとして使用できるデュアルレート水晶発振器である。【選択図】        図２
2013141172.tif 000002
【特許請求の範囲】
【請求項１】
２つの異なる周波数を選択的に発振するデュアルレート水晶発振器であって、
第１の周波数を発振させるための第１のコイルと、第２の周波数を発振させるための第２のコイルと、前記第１のコイル又は前記第２のコイルと組み合わせて発振用に用いられるコンデンサと、発振用のトランジスタとを備える発振部と、
前記第１の周波数用としての第１の水晶振動子と第１の可変コイルの並列回路を備える第１のフィルタと、前記第２の周波数用としての第２の水晶振動子と第２の可変コイルの並列回路を備える第２のフィルタとを備えるフィルタ部と、
前記第１の周波数又は前記第２の周波数の発振を選択指示する信号に従って、前記発振部における前記第１のコイル又は前記第２のコイルを選択する第１のスイッチと、
前記第１の周波数又は前記第２の周波数の発振を選択指示する信号に従って、前記フィルタ部で前記第１のフィルタ又は前記第２のフィルタを選択する第２のスイッチとを有することを特徴とするデュアルレート水晶発振器。
【請求項２】
制御電圧の周波数を可変して、発振部とフィルタ部に出力する周波数可変回路と、
前記発振部からの発振周波数を増幅するアンプ段とを設けたことを特徴とする請求項１記載のデュアルレート水晶発振器。
【請求項３】
フィルタ部では、可変コイルを調整して水晶振動子の容量をキャンセルしたことを特徴とする請求項１又は２記載のデュアルレート水晶発振器。
【請求項４】
フィルタ部では、第１の水晶振動子を基本波で振動する振動子とし、第２の水晶振動子をオーバトーンで振動する振動子としたことを特徴とする請求項１乃至３のいずれか記載のデュアルレート水晶発振器。
【請求項５】
フィルタ部では、一つのブランクに第１の水晶振動子の電極と第２の水晶振動子の電極が形成され、２つの発振周波数の内、低い周波数で振動する水晶振動子のブランク部分を薄くし、高い周波数で振動する水晶振動子のブランク部分を厚く形成したことを特徴とする請求項１乃至４のいずれか記載のデュアルレート水晶発振器。
【発明の詳細な説明】
【技術分野】
【０００１】
本発明は、２つの異なる周波数を発振するデュアルレート水晶発振器に係り、特に、部品点数を少なくしてコストを低減でき、ノイズフロアを良くできるデュアルレート水晶発振器に関する。
【背景技術】
【０００２】
［従来の技術］
デュアルレート水晶発振器には、デュアルレート電圧制御水晶発振器（Dual Rate VCXO: Voltage Controlled Crystal Oscillator）がある。
更に、従来のデュアルレートＶＣＸＯは、逓倍するタイプのものがある。
【０００３】
［従来のデュアルレートＶＣＸＯ：図８］
従来のデュアルレートＶＣＸＯについて図８を参照しながら説明する。図８は、従来のデュアルレートＶＣＸＯの構成ブロック図である。
従来のデュアルレートＶＣＸＯは、図８に示すように、２系統の周波数で発振・逓倍を行い、増幅してスイッチで切り替えて何れかの周波数を出力するようになっている。
【０００４】
具体的には、従来のデュアルレートＶＣＸＯは、制御電圧（Ｖcont）を入力端子から入力して、２系統に分岐させ、一方は、抵抗Ｒ21とダイオードＤ21の周波数可変回路を挿入させ、コイルＬ21を介して水晶振動子Ｘ21の一方の端子に接続し、水晶振動子Ｘ21の他方の端子を発振段・逓倍部１１の入力端子に接続し、発振段・逓倍部１１の出力端子をアンプ段１３の入力端子に接続し、アンプ段１３の出力端子がスイッチ（ＳＷ）１５の入力端子に接続している。
【０００５】
また、制御電圧を分岐させた他方は、抵抗Ｒ22とダイオードＤ22の周波数可変回路を挿入させ、コイルＬ22を介して水晶振動子Ｘ22の一方の端子に接続し、水晶振動子Ｘ22の他方の端子を発振段・逓倍部１２の入力端子に接続し、発振段・逓倍部１２の出力端子をアンプ段１４の入力端子に接続し、アンプ段１４の出力端子がスイッチ（ＳＷ）１５の入力端子に接続している。
【０００６】
ＳＷ１５の出力信号は、波形整形ＩＣ（Integrated Circuit）１６で波形整形されて出力信号（Out）が出力される。
発振段・逓倍部１１，１２、アンプ段１３，１４、ＳＷ１５、波形整形ＩＣ１６には、電源電圧（Ｖcc）が印加され、ＳＷ１５には、スイッチを切り替えるための制御信号（Cont）が入力される。
また、周波数可変回路は、抵抗Ｒが直列に接続され、抵抗Ｒの出力側にダイオードＤのカソードが接続し、アノードが接地する構成である。
【０００７】
従来のデュアルレートＶＣＸＯは、２系統それぞれに発振・逓倍を行い、２つの周波数を増幅して、ＳＷ１５でいずれかの発振信号を選択して波形整形を行うものとなっている。
このように、２周波数分の回路を用いて構成するため、部品点数が多くなり、コスト面で不利となる。また、逓倍するため出力にロスが発生し、位相雑音のフロアが下がらないものとなっている。
【０００８】
［関連技術］
尚、関連する先行技術として、特開平１０−２４２７６０号公報「電圧制御型高周波発振装置」（京セラ株式会社）［特許文献１］、特開２００２−２１７６８６号公報「同期信号発生器」（日本電波工業株式会社）［特許文献２］、特開２００６−１５７０７７号公報「発振器」（日本電波工業株式会社）［特許文献３］がある。
【０００９】
特許文献１には、発振装置において、一次発振信号を出力する発振回路部と、発振回路部の出力信号の周波数を逓倍化する周波数逓倍化回路と、逓倍化した所定周波数成分を抽出するフィルタ回路とを有し、一次発振信号と逓倍化した周波数成分をスイッチで切り替えて出力することが示されている。
【００１０】
特許文献２には、同期信号発生器において、水晶発振器からの正弦波の出力を発振周波数の中心周波数と同一のフィルタを通し、パルス変換器でパルスに変換することが示されている。
【００１１】
特許文献３には、発振器において、水晶振動子とコンデンサとの間にバリキャップ・ダイオードを介在させ、カソード側に外部から制御電圧ＶＣを印加し、アノードを帰路抵抗を介して接地して、制御電圧に応じて発振周波数を変化させることが示されている。
【先行技術文献】
【特許文献】
【００１２】
【特許文献１】特開平１０−２４２７６０号公報
【特許文献２】特開２００２−２１７６８６号公報
【特許文献３】特開２００６−１５７０７７号公報
【発明の概要】
【発明が解決しようとする課題】
【００１３】
しかしながら、従来のデュアルレート電圧制御水晶発振器では、部品点数が多くなってコストが増大し、また、逓倍することにより出力がロスするため、位相雑音のフロア（ノイズフロア）が下がらない（よくならない）という問題点があった。
【００１４】
本発明は上記実情に鑑みて為されたもので、部品点数を少なくしてコストを低減でき、フロアノイズを良くできるデュアルレート水晶発振器を提供することを目的とする。
【課題を解決するための手段】
【００１５】
上記従来例の問題点を解決するための本発明は、２つの異なる周波数を選択的に発振するデュアルレート水晶発振器であって、第１の周波数を発振させるための第１のコイルと、第２の周波数を発振させるための第２のコイルと、第１のコイル又は第２のコイルと組み合わせて発振用に用いられるコンデンサと、発振用のトランジスタとを備える発振部と、第１の周波数用としての第１の水晶振動子と第１の可変コイルの並列回路を備える第１のフィルタと、第２の周波数用としての第２の水晶振動子と第２の可変コイルの並列回路を備える第２のフィルタとを備えるフィルタ部と、第１の周波数又は第２の周波数の発振を選択指示する信号に従って、発振部における第１のコイル又は第２のコイルを選択する第１のスイッチと、第１の周波数又は第２の周波数の発振を選択指示する信号に従って、フィルタ部で第１のフィルタ又は第２のフィルタを選択する第２のスイッチとを有することを特徴とする。
【００１６】
本発明は、上記デュアルレート水晶発振器において、制御電圧の周波数を可変して、発振部とフィルタ部に出力する周波数可変回路と、発振部からの発振周波数を増幅するアンプ段とを設けたことを特徴とする。
【００１７】
本発明は、上記デュアルレート水晶発振器において、フィルタ部では、可変コイルを調整して水晶振動子の容量をキャンセルしたことを特徴とする。
【００１８】
本発明は、上記デュアルレート水晶発振器において、フィルタ部では、第１の水晶振動子を基本波で振動する振動子とし、第２の水晶振動子をオーバトーンで振動する振動子としたことを特徴とする。
【００１９】
本発明は、上記デュアルレート水晶発振器において、フィルタ部では、一つのブランクに第１の水晶振動子の電極と第２の水晶振動子の電極が形成され、２つの発振周波数の内、低い周波数で振動する水晶振動子のブランク部分を薄くし、高い周波数で振動する水晶振動子のブランク部分を厚く形成したことを特徴とする。
【発明の効果】
【００２０】
本発明によれば、発振部が、第１の周波数を発振させるための第１のコイルと、第２の周波数を発振させるための第２のコイルと、第１のコイル又は第２のコイルと組み合わせて発振用に用いられるコンデンサと、発振用のトランジスタとを備え、フィルタ部が、第１の周波数用としての第１の水晶振動子と第１の可変コイルの並列回路を備える第１のフィルタと、第２の周波数用としての第２の水晶振動子と第２の可変コイルの並列回路を備える第２のフィルタとを備える、第１のスイッチが、第１の周波数又は第２の周波数の発振を選択指示する信号に従って、発振部における第１のコイル又は第２のコイルを選択し、第２のスイッチが、第１の周波数又は第２の周波数の発振を選択指示する信号に従って、フィルタ部で第１のフィルタ又は第２のフィルタを選択するデュアルレート水晶発振器としているので、部品点数を少なくしてコストを低減でき、フロアノイズを良くできる効果がある。
【図面の簡単な説明】
【００２１】
【図１】本発明の実施の形態に係るデュアルレート発振器の構成ブロック図である。
【図２】本ＶＣＸＯの回路図である。
【図３】フィルタを等価回路で表した回路図である。
【図４】本実施の形態に係る具体的なＶＣＸＯの回路図である。
【図５】可変コイルをチップ部品に置き換えた場合の回路図である。
【図６】Ｄｕａｌ振動子の断面説明図である。
【図７】Ｄｕａｌ振動子の電極パターンを示す図である。
【図８】従来のデュアルレートＶＣＸＯの構成ブロック図である。
【発明を実施するための形態】
【００２２】
本発明の実施の形態について図面を参照しながら説明する。
［実施の形態の概要］
本発明の実施の形態に係るデュアルレート水晶発振器は、周波数可変回路で周波数可変された制御電圧が発振部とフィルタに入力され、発振部で第１の周波数を発振させるために第１のコイルを選択し、フィルタで第１の周波数用の水晶振動子と可変コイルを選択し、また、発振部で第２の周波数を発振させるために第２のコイルを選択し、フィルタで第２の周波数用の水晶振動子と可変コイルを選択してデュアルモードで発振周波数を出力するものであり、選択された第１のコイル又は第２のコイルと共通のコンデンサで発振させ、選択された水晶振動子により高Ｑなフィルタとして使用でき、部品点数を少なくしてコストを低減でき、逓倍を行わなくて済むためフロアノイズを良くできるものである。
【００２３】
［デュアルレート発振器：図１］
本発明の実施の形態に係るデュアルレート発振器について図１を参照しながら説明する。図１は、本発明の実施の形態に係るデュアルレート発振器の構成ブロック図である。
本発明の実施の形態に係るデュアルレート発振器（本発振器）は、図１に示すように、周波数可変回路１と、発振部２と、フィルタ３と、アンプ段４と、第１のスイッチ（ＳＷ（１））５と、第２のスイッチ（ＳＷ（２））６とを基本的に有している。
【００２４】
［本発振器の各部］
本発振器の各部について具体的に説明する。
周波数可変回路１は、制御電圧信号の周波数を可変にする回路である。
発振部２は、ＳＷ（１）５の選択によって周波数ｆ１又は周波数ｆ２の発振を行うものである。
【００２５】
フィルタ３は、ＳＷ（２）６の選択によって発振部２から出力される周波数ｆ１又は周波数ｆ２に応じて通過帯域を切り替えるフィルタである。尚、請求項ではフィルタ部としている。
アンプ段４は、フィルタ３からの出力を増幅する回路である。
【００２６】
第１のスイッチ（ＳＷ（１））５は、発振部２に対して、周波数ｆ１又は周波数ｆ２のいずれかを発振させるための切り替えを行うもので、外部からの選択信号（Cont）が入力される。
第２のスイッチ（ＳＷ（２））６は、フィルタ３に対して、周波数ｆ１又は周波数ｆ２のいずれかを通過させるための切り替えを行うもので、外部からの選択信号（Cont）が入力される。
【００２７】
ここで、ＳＷ５とＳＷ６とは、連動しており、ＳＷ５が周波数ｆ１の発振を選択する時は、ＳＷ６は周波数ｆ１の通過を選択し、ＳＷ５が周波数ｆ２の発振を選択する時は、ＳＷ６は周波数ｆ２の通過を選択する。
【００２８】
［本ＶＣＸＯの回路：図２］
次に、本発振器をデュアルレート電圧制御水晶発振器（本ＶＣＸＯ）に適用した場合の回路について図２を参照しながら説明する。図２は、本ＶＣＸＯの回路図である。図２に示した回路図は、図１のブロック図を電圧制御水晶発振器として具体化したものである。
【００２９】
［周波数可変回路］
図１の周波数可変回路１は、図２において、制御電圧（Ｖcont）が一端に印加される抵抗Ｒ1 と、当該抵抗Ｒ1 の他端にカソードが接続し、アノードが接地するダイオードＤ1 とに相当する。
ここで、抵抗Ｒ1 の抵抗値を可変にすることで、又は／及びダイオードＤ1 を可変容量ダイオードとして容量を可変にすることにより周波数を可変にするものである。
【００３０】
［アンプ段，ＳＷ］
図１のアンプ段４，ＳＷ５，ＳＷ６は、図２のアンプ段４，ＳＷ５，ＳＷ６に相当している。
尚、ＳＷ５，ＳＷ６には選択信号（Cont）が入力されると共に、電源電圧（Ｖcc）が印加されている。
【００３１】
［フィルタ］
図１のフィルタ３は、図２のＳＷ６と抵抗Ｒ1 の他端に接続するものであり、水晶振動子Ｘ1 と並列接続の可変コイルＬ3 、水晶振動子Ｘ2 と並列接続の可変コイルＬ4 に相当している。
尚、請求項では、水晶振動子Ｘ1 と可変コイルＬ3 の並列回路を「第１のフィルタ」とし、水晶振動子Ｘ2 と可変コイルＬ4 の並列回路を「第２のフィルタ」としている。
【００３２】
ここで、水晶振動子Ｘ1 と水晶振動子Ｘ2 とは、異なる周波数で振動するものであり、例えば、水晶振動子Ｘ1 が基本波（ｆ１）で振動する振動子とすると、水晶振動子Ｘ2 は３倍オーバトーン（３倍波：ｆ２）で振動する振動子としている。尚、３倍オーバトーンに限らず、５倍、７倍等のｎ倍のオーバトーンであってもよい。
【００３３】
このように、オーバトーンの水晶振動子を用いることにより、部品点数を少なくできる。
また、ＧＨｚの高周波が必要な場合には、水晶フィルタをＳＡＷ（Surface Acoustic Wave：弾性表面波）フィルタに置き換えることで対応できる。
【００３４】
また、可変コイルＬ3 ，Ｌ4 は、水晶振動子Ｘ1 ，Ｘ2 におけるキャパシタをキャンセルするために設けられている。
そして、ＳＷ６が、Ａ2 側を選択すると、周波数ｆ１に対するフィルタとなり、ＳＷ６がＢ2 側を選択すると、周波数ｆ２に対するフィルタとなる。
【００３５】
［発振部］
図１の発振部２は、図２のＳＷ５に接続するコイルＬ1 ，Ｌ2 と、ＳＷ６の入力端子にエミッタが接続し、コンデンサＣ4 を介してアンプ段４にコレクタが接続し、コンデンサＣ3 を介してベースが接地するトランジスタＱ1 とに相当している。
トランジスタＱ1 は、ベース接地型で、位相雑音のフロアを下げることができるものである。
【００３６】
そして、トランジスタＱ1 のコレクタ側には、コイルＬ1 ，Ｌ2 の他端が接続し、更にコンデンサＣ1 の一端が接続し、コンデンサＣ1 の他端がコンデンサＣ2 の一端に接続し、コンデンサＣ2 の他端が接地している。更に、コンデンサＣ1 の他端とコンデンサＣ2の一端との間が抵抗Ｒ1 の他端に接続している。
つまり、周波数変換回路からの制御電圧が、コンデンサＣ1 の他端とコンデンサＣ2の一端との間に印加され、コンデンサＣ1 ，Ｃ2 と選択されるコイルＬ1 又はコイルＬ2 が発振用として用いられる。
【００３７】
また、トランジスタＱ1 のベース側には、抵抗Ｒ3 の一端が接続し、抵抗Ｒ3 の他端が接地されている。更に、トランジスタＱ1 のベース側には、抵抗Ｒ2 の一端が接続し、抵抗Ｒ2 の他端が電源電圧（Ｖcc）に接続している。
【００３８】
［フィルタ３：図３］
次に、図１、図２に示したフィルタ３について具体的に説明する。図３は、フィルタを等価回路で表した回路図である。
図３の上図に示すように、フィルタは、基本的に、水晶振動子Ｘ1 と可変コイルＬ3 とが並列接続で構成されている。
【００３９】
図３の下図は、上図の等価回路となっており、水晶振動子Ｘ1 がコイルＬ11と、抵抗Ｒ11と、コンデンサＣ11とが直列接続され、その直列接続にコイルＣ0 が並列接続されている。
水晶振動子Ｘ1 に形成されるコイルＣ0 が、フィルタ特性において邪魔になるので、コイルＣ0 をキャンセルするための可変コイルＬ3 を並列に設けている。キャンセル量の調整には可変コイルが望ましい。
更に、可変コイルＬ3 に並列にコンデンサＣを設けて調整してもよい。このコンデンサＣは、表面実装デバイスのトリマコンデンサで構成してもよい。
【００４０】
また、発振部における共振周波数は、選択されるコイルＬ1 又はコイルＬ2 のインダクタンスとコンデンサＣ1 ，Ｃ2 のキャパシタンスの値を変更し、変更したＬＣ回路で、共振の周波数を動かして、可変量を得るようにする。発振部における共振周波数の可変量は、フィルタにおける振動子の影響を受けないものである。
【００４１】
［具体的なＶＣＸＯの回路：図４］
本実施の形態に係る具体的なＶＣＸＯの回路について図４を参照しながら説明する。図４は、本実施の形態に係る具体的なＶＣＸＯの回路図である。
［周波数可変回路］
図４に示すように、図１の周波数可変回路１に相当するのが、抵抗Ｒ5 とコイルＬ5 の並列接続回路と、コンデンサＣ6 とダイオードＤ2 の並列接続回路と、抵抗Ｒ6 と抵抗Ｒ10である。
【００４２】
制御電圧（Ｖcont）が抵抗Ｒ10を介してフィルタに入力されると共に、抵抗Ｒ5 とコイルＬ5 の並列接続回路に入力されている。
抵抗Ｒ5 とコイルＬ5 の並列接続回路と、コンデンサＣ6 とダイオードＤ2 の並列接続回路は、直列に接続され、コンデンサＣ6 とダイオードＤ2 の並列接続回路は、コンデンサＣ1 とコンデンサＣ2 との間に接続されると共に、抵抗Ｒ6 の一端に接続され、抵抗Ｒ6 の他端は接地されている。
【００４３】
［発振部］
図１の発振部２に相当するのが、トランジスタＱ1 と、トランジスタＱ1 のベース側に接続する抵抗Ｒ2 ，Ｒ3 とコンデンサＣ3 と、トランジスタＱ1 のコレクタ側に接続する抵抗Ｒ4 と、コンデンサＣ1 ，Ｃ2 ，Ｃ5 と、コイルＬ1 ，Ｌ2 と、トランジスタＱ1 のエミッタ側に接続する抵抗Ｒ1 とコンデンサＣd である。
【００４４】
ここで、抵抗Ｒ1 とコンデンサＣd が並列接続され、それらの他端が接地されている（ＧＮＤに接続されている）。
また、コンデンサＣ1 の一端がコレクタ側に接続し、コンデンサＣ1 の他端がコンデンサＣ2 の一端に接続し、コンデンサＣ2 の他端がＧＮＤに接続されている。
また、抵抗Ｒ3 とコンデンサＣ3 ，Ｃ5 の他端がＧＮＤに接続され、抵抗Ｒ2 ，Ｒ4 の他端に電源電圧（Ｖcc）が印加されている。
コイルＬ1 ，Ｌ2 の他端は、ＳＷ（１）５に接続されている。
【００４５】
［フィルタ］
図１のフィルタ３に相当するのが、ＳＷ（２）６に接続する可変コイルＬ3 ，Ｌ4 と、水晶振動子Ｘ1 ，Ｘ2 と、コンデンサＣ14，Ｃ15，Ｃ16，Ｃ17等である。
ここで、水晶振動子Ｘ1 と可変コイルＬ3 は並列接続で、制御電圧（Ｖcont）の入力側にコンデンサＣ14とコンデンサＣ15の並列回路が接続されている。
同様に、水晶振動子Ｘ2 と可変コイルＬ4 は並列接続で、制御電圧（Ｖcont）の入力側にコンデンサＣ16とコンデンサＣ17の並列回路が接続されている。
【００４６】
［アンプ段］
図１のアンプ段４に相当するのが、トランジスタＱ2 と、トランジスタＱ2 のベース側に接続する抵抗Ｒ7 ，Ｒ8 と、トランジスタＱ2 のエミッタ側に接続する抵抗Ｒ9 とコンデンサＣ7 と、トランジスタＱ2 のコレクタ側に接続するコイルＬ6 と、コンデンサＣ8 ，Ｃ9 ，Ｃ12，Ｃ13である。
【００４７】
ここで、トランジスタＱ2 のベース側は、コンデンサＣ4 を介して発振部に接続され、抵抗Ｒ7 の他端には電源電圧が印加され、抵抗Ｒ8 の他端は接地されている。
抵抗Ｒ9 とコンデンサＣ7 は並列接続され、他端が接地されている。
コンデンサＣ8 とコンデンサＣ9 は直列接続で、トランジスタＱ2 のコレクタと出力端子（ＯＵＴ）の間に設けられている。
【００４８】
コイルＬ6 の一端はトランジスタＱ2のコレクタ側に接続し、コイルＬ6 の他端には電源電圧が印加されている。
コンデンサＣ12の一端は、コンデンサＣ8 とコンデンサＣ9 の間の点に接続し、コンデンサＣ12の他端は接地されている。
コンデンサＣ13の一端は接地され、コンデンサＣ13の他端には電源電圧が印加されている。
【００４９】
［ＳＷ（１）５］
図１の第１のスイッチ（ＳＷ（１））５は、ＳＷ（１）５に相当し、コイルＬ1 ，Ｌ2 に接続していずれかを選択信号（ＳＥＬ）で選択する。また、ＳＷ５はＧＮＤに接続している。尚、図４の選択信号（ＳＥＬ）は、図１，２の選択信号（Cont）と同じものである。
【００５０】
［ＳＷ（２）６］
図１の第２のスイッチ（ＳＷ（２））６は、ＳＷ（２）６に相当し、２つのフィルタに接続していずれかを選択信号（ＳＥＬ）で選択する。また、ＳＷ（２）６は、トランジスタＱ1 のエミッタ側に接続している。
【００５１】
［図４の回路の動作］
図４の回路では、選択信号（ＳＥＬ）がＳＷ５，６に入力され、ＳＷ５ではコイルＬ1 ，Ｌ2 のいずれかが選択され、ＳＷ６では２つのフィルタのいずれかが選択される。
尚、ＳＷ５，６での選択は、連動して為されるようになっており、例えば、コイルＬ1 を選択した場合に、水晶振動子Ｘ1 と可変コイルＬ3 の並列回路側を選択し、コイルＬ2 を選択した場合に、水晶振動子Ｘ2 と可変コイルＬ4 の並列回路側を選択する。
【００５２】
ＳＷ５，６での選択が為されて、周波数可変回路を介して発振部とフィルタに制御電圧（Ｖcont）が入力され、発振部でのトランジスタＱ1 の動作と、アンプ段のトランジスタＱ2 の動作により、出力端子（ＯＵＴ）に発振周波数が出力される。
【００５３】
［可変コイルのチップ部品への置き換え：図５］
次に、可変コイルＬをチップ部品に置き換えた場合について図５を参照しながら説明する。図５は、可変コイルをチップ部品に置き換えた場合の回路図である。
図５に示すように、可変コイルは、コイルと可変容量の並列回路で表すことができる。
【００５４】
振動周波数ｆをコイルのインダクタンスＬと容量のキャパシタンスＣで表すと、
ｆ＝１／［２π√（ＬＣ）］となる。
ｆを一定とすると、Ｌを大きくすれば、Ｃを小さくするよう調整することになり、Ｌを小さくすれば、Ｃを大きくするよう調整することになる。
【００５５】
［Ｄｕａｌ振動子：図６］
次に、フィルタ部分をデュアル（Ｄｕａｌ）振動子で構成した場合について図６を参照しながら説明する。図６は、Ｄｕａｌ振動子の断面説明図である。
図６に示すように、容器２１内に、台座となる支持部２２を形成し、当該支持部２２にブランク２３の一部を搭載し、導電性接着剤２５で固定し、容器２１の上面を蓋２６で覆ったものである。
【００５６】
そして、ブランク２３の表裏には、電極２４ａ〜２４ｄが形成され、電極２４ａと電極２４ｂが対向し、電極２４ｃと電極２４ｄが対向して、１つのブランク２３に対して２つの振動子（Ｄｕａｌ振動子）を形成している。
【００５７】
振動子をデュアルにすることで、構造を簡略化でき、小型化を図ることができる。
図６では、ブランクを周波数が高い方を薄くし、周波数が低い方を厚くしている。つまり、電極２４ｃ、２４ｄで挟まれたブランク部分（薄いブランク部分）が、周波数が高く、電極２４ａ，２４ｂで挟まれたブランク部分（厚いブランク部分）が、周波数が低いものとなっている。
【００５８】
［電極のパターン配置：図７］
図６に示したＤｕａｌ振動子について電極パターンを図７に示す。図７は、Ｄｕａｌ振動子の電極パターンを示す図である。
図７に示すように、図６に示したＤｕａｌ振動子の容器２１の底面には、外部接続用の電極が形成されている。
【００５９】
電極パターンは、容器２１の裏面の四隅に４つの電極パターンが形成され、電極Ｘ１が一つの振動子に接続し、電極Ｘ２が別の振動子に接続し、電極Ｘ０が２つの振動子の共通電極となっており、それ以外にＧＮＤ電極（ＧＮＤレベルにするための電極）が形成されている。
【００６０】
［実施の形態の効果］
本発振器によれば、周波数可変回路１で周波数可変された制御電圧が発振部２とフィルタ３に入力され、発振部２で第１の周波数を発振させるために第１のコイルを選択し、フィルタ３で第１の周波数用の振動子と可変コイルを選択し、また、発振部２で第２の周波数を発振させるために第２のコイルを選択し、フィルタ３で第２の周波数用の振動子と可変コイルを選択するようにしているので、部品点数を少なくしてコストを低減でき、逓倍をおこなわなくて済むためフロアノイズを良くできる効果がある。
【００６１】
本ＶＣＸＯによれば、発振部２でＬＣ発振させるためのコイルＬ1 ，Ｌ2 のいずれかをＳＷ（１）５で選択させ、フィルタ３で第１のフィルタ（水晶振動子Ｘ1 と可変コイルＬ3 の並列接続回路）又は第２のフィルタ（水晶振動子Ｘ2 と可変コイルＬ4 の並列接続回路）をＳＷ（２）６で選択させて、デュアルモードで発振周波数を出力するものであり、選択されたコイルＬ1 又はＬ2 と共通のコンデンサＣ1 ，Ｃ2 で発振させ、選択された水晶振動子により高Ｑなフィルタとして使用でき、部品点数を少なくしてコストを低減でき、逓倍をおこなわなくて済むためフロアノイズを良くできる効果がある。
【産業上の利用可能性】
【００６２】
本発明は、部品点数を少なくしてコストを低減でき、フロアノイズを良くできるデュアルレート水晶発振器に好適である。
【符号の説明】
【００６３】
１...周波数可変回路、  ２...発振部、  ３...フィルタ、  ４...アンプ段、  ５...第１のスイッチ（ＳＷ（１））、  ６...第２のスイッチ（ＳＷ（２））、  １１...発振段・逓倍部、  １２...発振段・逓倍部、  １３...アンプ段、  １４...アンプ段、  １５...スイッチ（ＳＷ）、  １６...波形整形ＩＣ、  ２１...容器、  ２２...支持部、  ２３...ブランク、  ２４ａ〜２４ｄ...電極、  ２５...導電性接着剤、  ２６...蓋
【図１】
2013141172.tif 000003
【図２】
2013141172.tif 000004
【図３】
2013141172.tif 000005
【図４】
2013141172.tif 000006
【図５】
2013141172.tif 000007
【図６】
2013141172.tif 000008
【図７】
2013141172.tif 000009
【図８】
2013141172.tif 000010